(57)【要約】【課題】  高解像度用途のズームレンズにおいて、像面湾曲の変動を抑制し高い光学性能を得ること。【解決手段】  ズームレンズは、物体側より順に、ズーミングのためには移動しない正の第１レンズ群と、ズーミングに際して光軸に沿って移動する負の第２レンズ群とを有し、第１レンズ群は物体側より順に、フォーカシングのためには移動しない負の第11レンズ群と、フォーカシングに際して光軸に沿って移動する正の第12レンズ群と、フォーカシングのためには移動せず正の第13レンズ群とを有しており、第13レンズ群中の広角端で無限遠合焦時での最大像高における軸外光束のうち最も入射高が高い光線の入射高をhwとし、(広角端の焦点距離)×(ズーム比)1/4の焦点距離で無限遠合焦時での最大像高における軸外光束のうち最も入射高が高い光線の第13レンズ群中への入射高をhzとするとき、0.4≦|(hz-hw)/hw|を満足する面に非球面を配置する。【選択図】  図１
2015176129.tif 000002
【特許請求の範囲】
【請求項１】
物体側より像側へ順に、ズーミングのためには移動しない正の屈折力の第１レンズ群と、ズーミングに際して光軸に沿って移動する負の屈折力からなる第２レンズ群とを有し、
前記第１レンズ群は物体側より像側へ順に、フォーカシングのためには移動しない負の屈折力の第11レンズ群と、フォーカシングに際して光軸に沿って移動する正の屈折力の第12レンズ群と、フォーカシングのためには移動せず正の屈折力の第13レンズ群とを有しており、
前記第13レンズ群中の広角端で無限遠合焦時での最大像高における軸外光束のうち最も入射高が高い光線の入射高をhwとし、（広角端の焦点距離）×（ズーム比）1/4の焦点距離で無限遠合焦時での最大像高における軸外光束のうち最も入射高が高い光線の前記第13レンズ群中への入射高をhzとするとき、
0.4≦|(hz-hw)/hw|
なる式を満足する面に非球面を配置することを特徴とするズームレンズ。
【請求項２】
前記第13レンズ群の最も像側の面は像側に凸であることを特徴とする請求項１に記載のズームレンズ。
【請求項３】
前記第13レンズ群の最も像側の面は非球面であることを特徴とする請求項２に記載のズームレンズ。
【請求項４】
前記非球面を有するレンズの物体側の曲率半径をR1、像側の曲率半径をR2としたとき、
0.4 ≦ (R2+R1)/(R2-R1) ≦ 1.5
なる条件を満足することを特徴とする請求項３に記載のズームレンズ。
【請求項５】
前記非球面のレンズ面はレンズ有効径の10割、9割、7割における非球面量をそれぞれΔ10a、Δ9a、Δ7a、前記第1レンズ群の焦点距離をf1とするとき、
0＜|Δ10a/f1|＜0.00200
0＜|Δ9a/f1 |＜0.00150
0＜|Δ7a/f1 |＜0.00070
なる条件を満たすことを特徴とする請求項４に記載のズームレンズ。 
【請求項６】
前記第1レンズ群の焦点距離をf1、前記第13レンズ群の焦点距離をf13としたとき、
1.2＜f13/f1＜1.5
なる条件を満たすことを特徴とする請求項５に記載のズームレンズ。
【発明の詳細な説明】
【技術分野】
【０００１】
本発明はズームレンズに関し、特に、放送用テレビカメラ、ビデオカメラ、デジタルスチルカメラ、銀塩写真用カメラ等に好適なズームレンズ及びそれを有する撮像装置に関するものである。
【背景技術】
【０００２】
近年、テレビカメラ、デジタルカメラ、ビデオカメラ等の撮像装置の分野では、高精細・高解像な映像の実現が求められている。
【０００３】
上記問題を解決するための手段として、ズームレンズについて、ワイドからテレにわたりズームによる諸収差の更なる抑制が必要となっており、従来よりレンズ群のパワー配置や非球面を適切に設定することでその抑制を図ってきた。
【０００４】
特許文献１では、大口径、広画角、高ズーム比で高精細・高解像力な映像を有するという課題に対するアイデアである。ズーミングの際に不動で正の屈折力のレンズ群に非球面を有し、非球面の配置箇所と所定の非球面量を規定している。
【先行技術文献】
【特許文献】
【０００５】
【特許文献１】特許５２４１１６６号公報
【発明の概要】
【発明が解決しようとする課題】
【０００６】
特許文献１では、ワイド系レンズで顕著な課題となるズーミングに伴う歪曲収差の変動の抑制を大きな課題と捕らえている。解決手段としてズーミングの際に不動で正の屈折力のレンズ群に非球面を有し、非球面の配置箇所と所定の非球面量を規定することで歪曲収差の変動を抑制している。しかし、高精細・高解像な映像を有するためには、像面湾曲収差に起因する周辺解像力の高解像度化が必要であり、歪曲収差の変動の抑制のみでは目的は達成されない。特に近年より高周波領域かつ周辺像高までの高解像力化が望まれており、像面湾曲収差の抑制もより高いものが望まれている。そこで本発明では周辺解像力の高解像化のために像面湾曲収差を抑制することで、全ズーム領域、全像高領域にわたり高解像力を達成することが可能なズームレンズ及び撮影システムの提供を目的とする。
【課題を解決するための手段】
【０００７】
上記目的を達成するために、本発明のズームレンズおよびそれを有する撮像装置は、ズーミングのためには移動しない正の屈折力の第１レンズ群と、ズーミングに際して光軸に沿って移動する負の屈折力からなる第２レンズ群とを有し、前記第１レンズ群は物体側より像側へ順に、フォーカシングのためには移動しない負の屈折力の第１１レンズ群と、フォーカシングに際して光軸に沿って移動する正の屈折力の第１２レンズ群と、フォーカシングのためには移動せず正の屈折力の第１３レンズ群とを有しており、前記第１３１１ズ群中の広角端で無限遠合焦時での最大像高における軸外光束のうち最も入射高が高い光線の入射高をhwとし、（広角端の焦点距離）×（ズーム比）1/4の焦点距離で無限遠合焦時での最大像高における軸外光束のうち最も入射高が高い光線の前記第１３レンズ群中への入射高をhzとするとき、
0.4≦|(hz-hw)/hw|
なる式を満足する面に非球面を配置することを特徴とする。
【０００８】
本発明の更なる目的又はその他の特徴は、以下、添付の図面を参照して説明される好ましい実施例等によって明らかにされる。
【発明の効果】
【０００９】
本発明によれば、全ズーム領域、全像高領域にわたり高解像力を達成することが可能なズームレンズ及び撮影システムが可能となる。
【図面の簡単な説明】
【００１０】
【図１】本発明の数値実施例１のズームレンズの断面図である。
【図２】数値実施例１のズームレンズのワイド端における収差図である。
【図３】数値実施例１のズームレンズのワイドミドルにおける収差図である。
【図４】数値実施例１のズームレンズのミドルにおける収差図である。
【図５】数値実施例１のズームレンズのテレミドルにおける収差図である。
【図６】数値実施例１のズームレンズのテレ端における収差図である。
【図７】数値実施例２のズームレンズの断面図である。
【図８】数値実施例２のズームレンズのワイド端における収差図である。
【図９】数値実施例２のズームレンズのワイドミドルにおける収差図である。
【図１０】数値実施例２のズームレンズのミドルにおける収差図である。
【図１１】数値実施例２のズームレンズのテレミドルにおける収差図である。
【図１２】数値実施例２のズームレンズのテレ端における収差図である。
【図１３】数値実施例３のズームレンズの断面図である。
【図１４】数値実施例３のズームレンズのワイド端における収差図である。
【図１５】数値実施例３のズームレンズのワイドミドルにおける収差図である。
【図１６】数値実施例３のズームレンズのミドルにおける収差図である。
【図１７】数値実施例３のズームレンズのテレミドルにおける収差図である。
【図１８】数値実施例３のズームレンズのテレ端における収差図である。
【図１９】収差係数の説明図である。
【図２０】収差係数の説明図である。
【発明を実施するための形態】
【００１１】
本発明のズームレンズを添付の図面を参照しながら詳細に説明する。
【００１２】
図１に本発明のズームレンズ（数値実施例１）の断面図を示す。本発明のズームレンズは、物体側から像側へ順に、ズーミングのためには移動しない正の屈折力の第１レンズ群、ズーミングに際して光軸に沿って移動する負の屈折力を有する第２レンズ群を有する。第１レンズ群は、物体側より像側へ順に、フォーカシングのためには移動しない負の屈折力の第１１レンズ群、フォーカシングに際して光軸に沿って移動する正の屈折力の第１２レンズ群、フォーカシングのためには移動しない正の屈折力の第１３レンズ群から構成される。
【００１３】
光学系全体としての像面湾曲の変動を適切に抑制するためには、3次収差係数を適切に設定する必要がある。ここで、半画角ωにおける縦収差としての子午像面湾曲ΔM、球欠像面湾曲ΔSと、収差係数III、IVとは次の関係にある。
【００１４】
【数１】
2015176129.tif 000003
【数２】
2015176129.tif 000004
IV ＝ III ＋ Ｐ          (3)
【００１５】
一般的な正負負正の４群構成のズームレンズを例に、上記３次収差係数IIIのズーム変動の様子をワイド端基準にグラフ化すると図１９となる。ここで、前玉はズーミングのためには移動しない正の屈折力を有する第１レンズ群、バリエーターはズーミングに際して移動する負の屈折力を有する第２レンズ群、コンペンセータはズーミングに際して移動する負の屈折力を有する第３レンズ群、リレーはズーミングのためには移動しない正の屈折力を有する第４レンズ群である。各レンズ群の３次収差係数IIIの合計を示したズーム変動の様子を図２０に示す。図１９と図２０より、３次収差係数IIIの主要な発生要因は前玉とバリエーターであることがわかり、各レンズ群に起因する３次収差係数IIIを互いにキャンセルすることで全体のズーム変動を抑制している。また、３次収差係数IIIのズーム変動は、図２０よりワイド端からワイドミドルにかけてピークを迎え、その後減少していることより、ワイドミドルの3次収差係数IIIの発生量を抑えるレンズ構成が全体のズーム変動を抑制するのに重要であることがわかる。また上記の近軸領域に加え、像高の高い箇所において発生する高次の像面湾曲収差の補正をする必要が生じる。
【００１６】
上記の背景を元に、本発明のズームレンズは以下の条件式を満足することが望ましい。
0.4≦|(hz-hw)/hw|              (4)
【００１７】
条件式(4)は非球面の配置箇所について規定したものである。hzは、(広角端の焦点距離)×(ズーム比)1/4の焦点距離のズーム位置で無限遠合焦時での最大像高での軸外光束のうち最も入射高が高い光線の第１３レンズ群中への入射高を示す。hwは第１３レンズ群中の広角端で無限遠合焦時での最大像高での軸外光束の入射高を示す。hzとhwの差分が大きい箇所に非球面を配置することが好ましい。軸外光線がレンズを通過する変化が大きい箇所に非球面を配置することで、像高の高い箇所において発生する高次の像面湾曲収差の補正をすることが可能となる。
【００１８】
条件式(4)のhzとhwの差分が小さくなると、条件式(4)の下限に達する。条件式(4)の下限の条件が満たされないと像高方向での像面湾曲を抑制することが困難となる。
【００１９】
更に本発明のズームレンズは以下の条件式(5)を満足することが望ましい。
0.4≦(R2+R1)/(R2-R1) ≦1.5      (5)
【００２０】
条件式(5)は、ズームの変化に伴う像面湾曲の変動を抑制するための、非球面を有するレンズの近軸の曲率に関する条件を規定している。R1は非球面を有するレンズの物体側の近軸の曲率半径を示し、R2は非球面を有するレンズの像側の近軸の曲率半径を示す。ワイドミドルの3次収差係数IIIの発生量を抑えるには、R1面に凹のパワー面を有するレンズ形状若しくは、弱い凸のパワーを有するレンズ形状が望ましい。またR2面に凸のパワーを有するレンズ形状、かつ周辺に向かって凸のパワーが強くなる非球面を有することで、光線比率の高い所の光線を跳ね上げて収差を制御している。従って、非球面を有するレンズ形状は物体側に凸の曲率を有するレンズ形状となり、条件式(5)を満足するシェイプファクターの範囲となってくる。
【００２１】
条件式(5)の下限の条件が満たされないと、R1面が凹のパワーから強い凸のパワー面を有するレンズ形状と変化するため、３次収差係数IIIがプラスに発生しズーム時の像面変動が増加してしまう。
【００２２】
条件式(5)の上限の条件が満たされないと、R2面の凸のパワーを有する面が強くなりすぎ、光線の下線を跳ね上げすぎるためワイドミドルで像面湾曲収差が大きくなるためズーム時の像面変動が増加してしまう。
【００２３】
更に以下の条件式(6)、(7)、(8)を満足することが望ましい。
0＜|Δ10a/f1|＜0.00200        (6)
0＜|Δ9a/f1 |＜0.00150        (7)
0＜|Δ7a/f1 |＜0.00070        (8)
【００２４】
条件式(6)〜(8)は、非球面量に関して規定したものである。Δ10a、Δ9a、Δ7aは、非球面形状のレンズ面AS13のレンズ有効径の10割、9割、7割における位置での非球面量を示す。f1は第１レンズ群の焦点距離を示す。非球面量とは、近軸位置の曲率Rにより形成される仮想面と非球面との、光軸方向における差（変異量）のことをいう。非球面量を適切に設定することで、ズームの変化に伴う像面湾曲の変動を抑制するための条件を規定している。周辺に向かって凸のパワーが強くなる非球面を有することで、光線比率の高い所の光線を跳ね上げて収差を制御している。
【００２５】
条件式(6)〜(8)のΔ10a、Δ9a、Δ7aの値が小さくなると、式の下限に達する。式の下限の条件が満たされないと、非球面のパワーが無くなるため、光線比率の高い所の収差が制御できなくなる。
【００２６】
条件式(6)〜(8)のΔ10a、Δ9a、Δ7aの値が大きくなると、式の上限に達する。R2面の凸のパワーを有する面が強くなりすぎ、光線比率の高い所の光線を跳ね上げすぎるため、ワイドミドルにおける像面湾曲収差が大きくなるためズーム時の像面変動が増加してしまう。
【００２７】
更に以下の条件式(9)を満足することが望ましい。
1.2 <f13/f1<1.5              （9）
【００２８】
条件式(9)は、ズーミングのためには移動しない第１レンズ群内のパワー配置に関して規定したものである。
【００２９】
f13はズーミングのためには移動しない第１レンズ群内における第１３レンズ群の焦点距離を示し、f1はズーミングのためには移動しない第１レンズ群の焦点距離を示す。非球面を配置する第１３レンズ群の焦点距離を規定したものである。
【００３０】
条件式(9)のf1が大きくなり、f13が小さくなると、式の下限に達する。式の下限の条件が満たされないとf13のパワーが強くなり、第１３レンズ群に非球面を使用したとしても像高の高い箇所において発生する高次の像面湾曲収差の補正をすることが困難となる。
【００３１】
条件式(9)のf1が小さくなり、f13が大きくなると、式の上限に達する。式の上限の条件が満たされないと像面湾曲収差の変動は抑えられるが、第１レンズ群の主点を像側に押し出すことが困難になるため、第１レンズ群のガラス外径が大型化してしまう。
【００３２】
尚、各実施例において更に好ましくは前述した各条件式の数値範囲を次の如く設定するのが良い。
0.5≦(R2+R1)/(R2-R1) ≦1.2            (5A)
0.00008＜|Δ10a/f1|＜0.00190          (6A)
0.00004＜|Δ9a/f1 |＜0.00130          (7A)
0.00002＜|Δ7a/f1 |＜0.00060          (8A)
【００３３】
このように本発明により、高い光学性能を有する撮像装置を実現している。
【実施例１】
【００３４】
図１は本発明の実施例１としての数値実施例１の広角端、無限遠合焦時におけるレンズ断面図である。本発明のズームレンズは、物体側から像側へ順に、ズーミングのためには移動しない正の屈折力の第１レンズ群、ズーミングに際して光軸に沿って移動する負の屈折力を有する第２レンズ群、ズーミングに際して光軸に沿って移動する負の屈折力を有する第３レンズ群、開口絞り、不動の正の屈折力を有する第４レンズ群から構成される。第１レンズ群は、物体側より像側へ順に、フォーカシングのためには移動しない負の屈折力の第１１レンズ群、フォーカシングに際して光軸に沿って移動する正の屈折力の第１２レンズ群、フォーカシングのためには移動しない正の屈折力の第１３レンズ群から構成される。第１３レンズ群の最も像側の面である第20面は、像側に凸の非球面で構成されている。ＩＰは、ズームレンズが接続される撮像装置の撮像面であり、レンズからの被写体光を受光する。
【００３５】
図２〜６に、数値実施例１のワイド端、ワイドミドル、ミドル、テレミドル、テレ端における収差図を示す。収差図において、球面収差は、ｇ線とｅ線を示している。非点収差はｅ線のメリディオナル像面（ｍｅｒｉ）とｅ線のサジタル像面（ｓａｇｉ）を示している。倍率色収差はｇ線を表している。ＦｎｏはＦナンバー、ωは半画角である。すべての収差図において、球面収差は0.1ｍｍ、非点収差は0.1ｍｍ、歪曲は５％、倍率色収差は、0.025ｍｍのスケールで描かれている。以下の実施例（数値実施例）の収差図においても同様に記載する。
【００３６】
本実施例の各条件式対応値を表１に示す。本数値実施例はいずれの条件式も満足している。非球面を第１３レンズ群の最も物体側に配置することで、像面湾曲の変動を抑制し、全ズーム領域及び全像高領域わたり高い光学性能を得ている。
【実施例２】
【００３７】
図７は本発明の実施例２としての数値実施例２の広角端、無限遠合焦時におけるレンズ断面図である。本発明のズームレンズは、物体側から像側へ順に、ズーミングのためには移動しない正の屈折力の第１レンズ群、ズーミングに際して光軸に沿って移動する負の屈折力を有する第２レンズ群、ズーミングに際して光軸に沿って移動する負の屈折力を有する第３レンズ群、開口絞り、不動の正の屈折力を有する第４レンズ群から構成される。第１レンズ群は、物体側より像側へ順に、フォーカシングのためには移動しない負の屈折力の第１１レンズ群、フォーカシングに際して光軸に沿って移動する正の屈折力の第１２レンズ群、フォーカシングのためには移動しない正の屈折力の第１３レンズ群から構成される。第１３レンズ群の最も像側の面である第20面は、像側に凸の非球面で構成されている。ＩＰは、ズームレンズが接続される撮像装置の撮像面であり、レンズからの被写体光を受光する。
【００３８】
図８〜１２に、数値実施例２のワイド端、ワイドミドル、ミドル、テレミドル、テレ端における収差図を示す。収差図において、球面収差は、ｇ線とｅ線を示している。非点収差はｅ線のメリディオナル像面（ｍｅｒｉ）とｅ線のサジタル像面（ｓａｇｉ）を示している。倍率色収差はｇ線をあらわしている。ＦｎｏはＦナンバー、ωは半画角である。すべての収差図において、球面収差は0.1ｍｍ、非点収差は0.1ｍｍ、歪曲は５％、倍率色収差は、0.025ｍｍのスケールで描かれている。以下の実施例（数値実施例）の収差図においても同様に記載する。
【００３９】
本実施例の各条件式対応値を表１に示す。本数値実施例はいずれの条件式も満足している。非球面を第１３レンズ群の最も物体側に配置することで、像面湾曲の変動を抑制し、全ズーム領域及び全像高領域わたり高い光学性能を得ている。
【実施例３】
【００４０】
図１３は本発明の実施例３としての数値実施例３の広角端、無限遠合焦時におけるレンズ断面図である。本発明のズームレンズは、物体側から像側へ順に、ズーミングのためには移動しない正の屈折力の第１レンズ群、ズーミングに際して光軸に沿って移動する負の屈折力を有する第２レンズ群、ズーミングに際して光軸に沿って移動する負の屈折力を有する第３レンズ群、開口絞り、不動の正の屈折力を有する第４レンズ群から構成される。第１レンズ群は、物体側より像側へ順に、フォーカシングのためには移動しない負の屈折力の第１１レンズ群、フォーカシングに際して光軸に沿って移動する正の屈折力の第１２レンズ群、フォーカシングのためには移動しない正の屈折力の第１３レンズ群から構成される。第１３レンズ群の最も像側の面である第20面は、像側に凸の非球面で構成されている。ＩＰは、ズームレンズが接続される撮像装置の撮像面であり、レンズからの被写体光を受光する。
【００４１】
図１４〜１８に、数値実施例３のワイド端、ワイドミドル、ミドル、テレミドル、テレ端における収差図を示す。収差図において、球面収差は、ｇ線とｅ線を示している。非点収差はｅ線のメリディオナル像面（ｍｅｒｉ）とｅ線のサジタル像面（ｓａｇｉ）を示している。倍率色収差はｇ線をあらわしている。ＦｎｏはＦナンバー、ωは半画角である。すべての収差図において、球面収差は0.1ｍｍ、非点収差は0.1ｍｍ、歪曲は５％、倍率色収差は、0.025ｍｍのスケールで描かれている。以下の実施例（数値実施例）の収差図においても同様に記載する。
【００４２】
本実施例の各条件式対応値を表１に示す。本数値実施例はいずれの条件式も満足している。非球面を第１３レンズ群の最も物体側に配置することで、像面湾曲の変動を抑制し、全ズーム領域及び全像高領域わたり高い光学性能を得ている。
【００４３】
以下に本発明の実施例１〜３に対応する数値実施例１〜３を示す。各数値実施例において、ｉは物体側からの面の順序を示し、ｒｉは物体側より第ｉ番目の面の曲率半径、ｄｉは物体側より第ｉ番目と第ｉ＋１番目の間隔、Ｎｉ、νｉは第ｉ番目の光学部材の屈折率とアッベ数である。
【００４４】
非球面形状は光軸方向にＸ軸、光軸と垂直方向にＨ軸、光の進行方向を正とし、Ｒを近軸曲率半径、ｋを円錐常数、Ａ３、Ａ４、Ａ５、Ａ６、Ａ７、Ａ８、Ａ９、Ａ１０、Ａ１１、Ａ１２をそれぞれ非球面係数としたとき、次式で表している。
【００４５】
【数１】
2015176129.tif 000005
で表される。又、例えば「ｅ−Ｚ」は「×１０−Ｚ」を意味する。＊印は非球面であることを示している。
【００４６】
（数値実施例１）
単位 mm
面データ
面番号       r        d      nd         vd       有効径
1*       752.294    4.50   1.77250    49.6      121.31
2         63.511   26.19                         98.06
3       -490.402    4.20   1.64000    60.1       97.92
4        193.418    5.01                         97.20
5        145.210   11.33   1.80809    22.8       99.06
6        516.533    2.29                         98.57
7        173.548   15.98   1.51633    64.1       99.53
8*      -196.815    0.20                         99.13
9      14042.950    3.70   1.80100    35.0       98.19
10        198.163    0.20                         97.33
11        153.660   13.05   1.43387    95.1       97.91
12      -1082.767   11.37                         97.84
13        243.883    8.73   1.49700    81.5       99.71
14       -733.683    0.20                         99.69
15        244.352    3.50   1.72047    34.7       99.12
16         82.362    1.25                         96.05
17         85.579   27.83   1.43387    95.1       96.66
18       -154.171    0.20                         96.87
19      -1641.737   11.92   1.60311    60.6       95.14
20*      -135.846  (可変)                         94.63
21         67.534    2.00   1.77250    49.6       43.86
22         35.976   10.18                         39.43
23        -59.293    2.00   1.49700    81.5       38.50
24         54.905    8.06                         36.26
25        -70.198    4.65   1.72047    34.7       36.10
26        -43.070    0.47                         36.65
27        -43.504    2.00   1.49700    81.5       36.44
28       -340.748    0.20                         36.82
29         81.034    4.62   1.72047    34.7       36.97
30        341.378  (可変)                         36.47
31        -73.845    1.70   1.77250    49.6       31.84
32        112.748    4.65   1.84666    23.8       33.20
33      -1586.973  (可変)                         34.09
34(絞り)    ∞       2.70                         35.58
35       -226.947    6.43   1.71300    53.9       36.53
36        -86.983    0.20                         38.28
37        205.859    5.02   1.64000    60.1       39.17
38       -177.049    0.20                         39.44
39        106.141    6.97   1.64000    60.1       39.45
40        -86.904    1.94   1.74950    35.3       39.02
41        450.495   26.17                         38.54
42         75.511    5.71   1.64000    60.1       35.16
43        126.738   17.92                         34.67
44         44.752    6.14   1.43875    94.9       34.90
45      -1078.024    1.70   1.80518    25.4       34.30
46         50.165   10.55                         33.41
47        248.583   10.26   1.43875    94.9       35.36
48        -37.457    3.48   1.88300    40.8       35.96
49        224.759    6.66   1.43875    94.9       39.00
50        -73.394    1.50                         40.51
51        559.515    7.37   1.80809    22.8       42.83
52        -59.503   10.17                         43.47
53         48.471   12.08   1.43875    94.9       39.23
54        -68.962    1.70   1.88300    40.8       36.94
55        183.464   50.00                         36.04
像面        ∞   
非球面データ
第1面
K = 0.00000e+000  A 4= 2.33351e-007  A 6=-2.06681e-011  A 8= 1.52545e-014  A10=-8.43522e-018  A12= 2.63997e-021  A14=-4.38396e-025  A16= 3.01673e-029  
第8面
K = 0.00000e+000  A 4= 3.68191e-007  A 6=-3.85000e-012  A 8=-6.02829e-015  A10= 5.72690e-018  A12=-3.19557e-021  A14= 9.04723e-025  A16=-1.05854e-028  
第20面
K = 0.00000e+000  A 4=-2.27364e-008  A 6= 1.48020e-011  A 8=-2.34931e-015  
各種データ
ズーム比      5.50 
焦点距離      20.00    30.60    60.00    80.00   110.00  
Fナンバー      2.90     2.90     2.90     2.90     2.90  
画角          35.18    24.74    13.22    10.00     7.30  
像高          14.10    14.10    14.10    14.10    14.10  
レンズ全長   484.09   484.09   484.09   484.09   484.09  
BF            50.00    50.00    50.00    50.00    50.00  
d20            1.31    30.93    65.67    76.97    87.39  
d30           92.75    59.02    21.34    11.51     5.76  
d33            2.99     7.09    10.03     8.56     3.89  
d55           50.00    50.00    50.00    50.00    50.00  
入射瞳位置    75.47    97.73   145.50   170.91   201.88  
射出瞳位置  -350.00  -350.00  -350.00  -350.00  -350.00  
前側主点位置  94.47   125.99   196.50   234.91   281.63  
後側主点位置  30.00    19.40   -10.00   -30.00   -60.00  
ズームレンズ群データ
群  始面    焦点距離  レンズ構成長  前側主点位置  後側主点位置
1    1      93.25       151.65        94.59         62.30
2   21     -44.13        34.18         4.38        -25.41
3   31    -108.14         6.35        -0.27         -3.75
4   34      75.55       144.87        56.29       -129.14
単レンズデータ
レンズ  始面  焦点距離
1       1    -89.62
2       3   -215.36
3       5    244.06
4       7    180.61
5       9   -249.28
6      11    310.36
7      13    368.31
8      15   -172.84
9      17    131.13
10      19    243.87
11      21   -102.01
12      23    -56.86
13      25    143.31
14      27   -100.28
15      29    145.40
16      31    -57.26
17      32    123.27
18      35    193.24
19      37    148.90
20      39     75.43
21      40    -96.40
22      42    278.59
23      44     97.85
24      45    -58.95
25      47     74.83
26      48    -35.93
27      49    126.65
28      51     66.23
29      53     66.81
30      54    -56.26
【００４７】
（数値実施例２）
単位 mm
単位 mm
面データ
面番号       r        d      nd         vd       有効径
1*       759.798    4.50   1.77250    49.6      121.41
2         64.237   26.06                         98.41
3       -480.503    4.20   1.64000    60.1       98.26
4        190.326    5.01                         97.45
5        145.425   10.72   1.80809    22.8       99.26
6        514.275    2.29                         98.89
7        171.119   15.81   1.51633    64.1       99.82
8*      -191.954    0.20                         99.44
9      12038.559    3.70   1.80100    35.0       98.49
10        200.227    0.22                         97.58
11        156.237   12.81   1.43387    95.1       98.12
12      -1166.129   11.37                         98.02
13        262.130    9.12   1.49700    81.5       99.42
14       -639.723    0.20                         99.40
15        246.019    3.50   1.72047    34.7       98.74
16         82.387    1.30                         95.64
17         85.853   27.61   1.43387    95.1       96.23
18       -152.828    0.20                         96.40
19      -3025.997   11.00   1.60311    60.6       94.52
20*      -143.890  (可変)                         94.05
21         67.155    2.00   1.77250    49.6       43.86
22         35.999    9.93                         39.44
23        -59.484    2.00   1.49700    81.5       38.74
24         54.710    8.13                         36.46
25        -70.069    4.65   1.72047    34.7       36.29
26        -43.212    0.48                         36.84
27        -43.631    2.00   1.49700    81.5       36.63
28       -319.714    0.20                         37.02
29         81.247    4.63   1.72047    34.7       37.16
30        333.832  (可変)                         36.66
31        -72.940    1.70   1.77250    49.6       31.85
32        111.792    4.98   1.84666    23.8       33.23
33      -1719.170  (可変)                         34.21
34(絞り)    ∞       2.70                         35.52
35       -225.372    6.43   1.71300    53.9       36.48
36        -86.235    0.20                         38.24
37        206.375    4.93   1.64000    60.1       39.15
38       -174.678    0.20                         39.41
39        106.895    6.95   1.64000    60.1       39.43
40        -86.274    1.94   1.74950    35.3       39.01
41        465.648   26.43                         38.54
42         75.805    5.71   1.64000    60.1       35.18
43        127.875   17.94                         34.70
44         44.809    6.15   1.43875    94.9       34.96
45      -1335.473    1.70   1.80518    25.4       34.35
46         49.906   10.85                         33.46
47        249.693   10.28   1.43875    94.9       35.51
48        -37.721    3.09   1.88300    40.8       36.12
49        220.881    6.66   1.43875    94.9       39.04
50        -73.238    1.50                         40.55
51        506.378    7.39   1.80809    22.8       42.90
52        -59.995   10.07                         43.54
53         47.737   12.10   1.43875    94.9       39.31
54        -70.987    1.70   1.88300    40.8       36.99
55        169.872   50.00                         36.05
像面        ∞   
非球面データ
第1面
K = 0.00000e+000  A 4= 2.30589e-007  A 6=-2.40018e-011  A 8= 1.67825e-014  A10=-8.69772e-018  A12= 2.61844e-021  A14=-4.24529e-025  A16= 2.87750e-029  
第8面
K = 0.00000e+000  A 4= 3.75014e-007  A 6=-6.20332e-012  A 8=-6.02754e-015  A10= 5.80082e-018  A12=-3.07366e-021  A14= 8.40675e-025  A16=-9.64279e-029  
第20面
K = 0.00000e+000  A 4=-5.05167e-008  A 6= 1.69201e-011  A 8=-2.91123e-015  
各種データ
ズーム比      5.00 
焦点距離      20.00    30.00    60.00    80.00   100.00  
Fナンバー      2.90     2.90     2.90     2.90     2.90  
画角          35.18    25.17    13.22    10.00     8.03  
像高          14.10    14.10    14.10    14.10    14.10  
レンズ全長   482.97   482.97   482.97   482.97   482.97  
BF            50.00    50.00    50.00    50.00    50.00  
d20            1.31    30.10    66.64    78.16    85.85  
d30           93.61    60.91    21.07    10.83     5.83  
d33            2.60     6.51     9.81     8.53     5.83  
d55           50.00    50.00    50.00    50.00    50.00  
入射瞳位置    75.59    97.03   146.56   172.16   193.75  
射出瞳位置  -350.00  -350.00  -350.00  -350.00  -350.00  
前側主点位置  94.59   124.78   197.56   236.16   268.75  
後側主点位置  30.00    20.00   -10.00   -30.00   -50.00  
ズームレンズ群データ
群  始面    焦点距離  レンズ構成長  前側主点位置  後側主点位置
1    1      95.15       149.84        94.99         62.64
2   21     -44.32        34.02         4.27        -25.38
3   31    -106.23         6.68        -0.26         -3.91
4   34      75.25       144.92        56.11       -129.47
単レンズデータ
レンズ  始面  焦点距離
1       1    -90.66
2       3   -211.65
3       5    245.15
4       7    177.20
5       9   -252.52
6      11    317.69
7      13    374.29
8      15   -172.31
9      17    130.98
10      19    249.15
11      21   -102.85
12      23    -56.84
13      25    144.87
14      27   -101.61
15      29    146.90
16      31    -56.64
17      32    122.92
18      35    191.36
19      37    147.98
20      39     75.36
21      40    -96.32
22      42    277.81
23      44     98.70
24      45    -59.17
25      47     75.33
26      48    -36.07
27      49    125.91
28      51     66.09
29      53     66.98
30      54    -56.18
【００４８】
（数値実施例３）
単位 mm
単位 mm
面データ
面番号       r        d      nd         vd       有効径
1*       751.481    4.50   1.77250    49.6      121.45
2         64.821   26.12                         98.70
3       -446.740    4.20   1.64000    60.1       98.55
4        192.458    5.01                         97.83
5        144.021   11.44   1.80809    22.8       99.75
6        504.179    2.29                         99.08
7        165.539   16.00   1.51633    64.1       99.83
8*      -195.283    0.20                         99.36
9     -13116.161    3.70   1.80100    35.0       98.12
10        201.947    0.20                         97.10
11        155.194   12.80   1.43387    95.1       97.56
12      -1179.811   11.37                         97.41
13        281.571    8.73   1.49700    81.5       97.95
14       -836.188    0.20                         97.92
15        279.504    3.50   1.72047    34.7       97.48
16         82.906    1.14                         94.78
17         85.987   26.36   1.43387    95.1       95.37
18       -171.505    0.20                         95.71
19        646.446   13.58   1.60311    60.6       94.34
20*      -147.956  (可変)                         93.71
21         67.440    2.00   1.77250    49.6       44.65
22         35.956   11.25                         40.09
23        -59.538    2.00   1.49700    81.5       38.40
24         54.869    8.03                         36.16
25        -70.113    4.66   1.72047    34.7       36.00
26        -43.077    0.45                         36.54
27        -43.726    2.00   1.49700    81.5       36.32
28       -324.008    0.20                         36.68
29         80.274    4.60   1.72047    34.7       36.80
30        315.216  (可変)                         36.29
31        -71.817    1.70   1.77250    49.6       31.36
32        108.237    6.49   1.84666    23.8       32.74
33      -1846.165  (可変)                         34.13
34(絞り)    ∞       2.70                         35.37
35       -214.816    6.38   1.71300    53.9       36.32
36        -85.985    0.20                         38.09
37        214.729    4.89   1.64000    60.1       39.00
38       -175.768    0.20                         39.29
39        108.093    6.93   1.64000    60.1       39.34
40        -86.156    1.94   1.74950    35.3       38.96
41        528.086   26.12                         38.53
42         75.979    5.71   1.64000    60.1       35.43
43        133.299   19.03                         34.97
44         44.343    6.18   1.43875    94.9       35.22
45      -2577.883    1.70   1.80518    25.4       34.60
46         49.542   11.72                         33.68
47        236.927   10.36   1.43875    94.9       35.88
48        -38.049    2.49   1.88300    40.8       36.46
49        212.088    6.66   1.43875    94.9       39.17
50        -73.479    1.50                         40.65
51        423.208    7.44   1.80809    22.8       43.02
52        -60.790    8.90                         43.63
53         47.240   12.15   1.43875    94.9       39.46
54        -71.391    1.70   1.88300    40.8       37.09
55        156.638   50.00                         36.08
像面        ∞   
非球面データ
第1面
K = 0.00000e+000  A 4= 2.15837e-007  A 6=-2.21879e-011  A 8= 1.60760e-014  A10=-8.40883e-018  A12= 2.51760e-021  A14=-4.04871e-025  A16= 2.72394e-029  
第8面
K = 0.00000e+000  A 4= 3.66492e-007  A 6=-7.27269e-012  A 8=-6.20752e-015  A10= 5.73971e-018  A12=-2.91394e-021  A14= 7.58172e-025  A16=-8.24526e-029  
第20面
K = 0.00000e+000  A 4=-5.69317e-008  A 6= 1.62642e-011  A 8=-2.58046e-015  
各種データ
ズーム比      5.00 
焦点距離      20.00    30.00    60.00    80.00   100.00  
Fナンバー      2.90     2.90     2.90     2.90     2.90  
画角          35.18    25.17    13.22    10.00     8.03  
像高          14.10    14.10    14.10    14.10    14.10  
レンズ全長   483.95   483.95   483.95   483.95   483.95  
BF            50.00    50.00    50.00    50.00    50.00  
d20            1.31    29.36    64.96    76.16    83.62  
d30           90.37    58.58    20.15    10.45     5.85  
d33            2.45     6.18     9.02     7.52     4.66  
d55           50.00    50.00    50.00    50.00    50.00  
入射瞳位置    76.07    97.09   145.81   171.07   192.42  
射出瞳位置  -350.00  -350.00  -350.00  -350.00  -350.00  
前側主点位置  95.07   124.84   196.81   235.07   267.42  
後側主点位置  30.00    20.00   -10.00   -30.00   -50.00  
ズームレンズ群データ
群  始面    焦点距離  レンズ構成長  前側主点位置  後側主点位置
1    1      92.70       151.54        94.70         61.94
2   21     -44.01        35.20         4.94        -25.82
3   31    -104.30         8.19        -0.29         -4.76
4   34      74.98       144.90        55.98       -129.00
単レンズデータ
レンズ  始面  焦点距離
1       1    -91.65
2       3   -208.80
3       5    243.47
4       7    175.53
5       9   -246.59
6      11    316.24
7      13    423.69
8      15   -163.71
9      17    135.89
10      19    200.14
11      21   -102.06
12      23    -56.95
13      25    143.60
14      27   -101.65
15      29    147.26
16      31    -55.39
17      32    119.76
18      35    196.14
19      37    151.16
20      39     75.67
21      40    -98.04
22      42    264.67
23      44     99.18
24      45    -59.80
25      47     75.40
26      48    -36.16
27      49    124.96
28      51     65.56
29      53     66.72
30      54    -55.02
【００４９】
【表１】
2015176129.tif 000006
【符号の説明】
【００５０】
ＳＰ：開口絞り
ＩＰ：撮像面
【図１】
2015176129.tif 000007
【図２】
2015176129.tif 000008
【図３】
2015176129.tif 000009
【図４】
2015176129.tif 000010
【図５】
2015176129.tif 000011
【図６】
2015176129.tif 000012
【図７】
2015176129.tif 000013
【図８】
2015176129.tif 000014
【図９】
2015176129.tif 000015
【図１０】
2015176129.tif 000016
【図１１】
2015176129.tif 000017
【図１２】
2015176129.tif 000018
【図１３】
2015176129.tif 000019
【図１４】
2015176129.tif 000020
【図１５】
2015176129.tif 000021
【図１６】
2015176129.tif 000022
【図１７】
2015176129.tif 000023
【図１８】
2015176129.tif 000024
【図１９】
2015176129.tif 000025
【図２０】
2015176129.tif 000026